(57)【要約】【課題】レバーに加える力を抑制することが可能となるレバーを備えたコネクタを提供する。【解決手段】コネクタ１は雄コネクタ２と雌コネクタ３と雄コネクタ２に回転自在に設けられたレバー４を備えている。レバー４は回転することでコネクタ２，３を互いに接離させる。レバー４にはコネクタ２，３同士が嵌合する際に雌コネクタ３に引っ掛かる支点ボス７が設けられている。雌コネクタ３には支点ボス７が侵入する支点ガイド溝６が設けられている。支点ガイド溝６は直線部３３と傾斜部３４を備えている。支点ガイド溝６の内面の傾斜部３４の直線部３３から離れた側の端部に位置する部分６ａは支点ボス７のコネクタ２，３の幅方向の移動を規制する。【選択図】図１
2008097904.tif 000002
【特許請求の範囲】
【請求項１】
第１のコネクタと、
前記第１のコネクタと嵌合する第２のコネクタと、
前記第１のコネクタと前記第２のコネクタとのうち一方のコネクタに回転自在に取り付けられているとともに、回転することで、前記第１のコネクタと第２のコネクタとを互いに接離させるレバーと、を備えたコネクタにおいて、
前記レバーと、前記第１のコネクタと前記第２のコネクタとのうち他方のコネクタと、のうち一方から突出して、前記コネクタ同士が嵌合する際に、他方に引っ掛かる支点ボスと、
前記第１のコネクタと前記第２のコネクタとが互いに嵌合する際に、前記レバーが回転しても、前記コネクタ同士の嵌合方向に対して直交する方向に前記支点ボスが変位することを規制する変位規制手段を備えたことを特徴とするコネクタ。
【請求項２】
前記変位規制手段が、前記レバーと前記他方のコネクタとのうちの他方に設けられていることを特徴とする請求項１記載のコネクタ。
【請求項３】
前記レバーと前記他方のコネクタとのうちの他方には、前記支点ボスが侵入可能な溝が設けられ、
前記変位規制手段が、前記溝の内面の一部であることを特徴とする請求項２記載のコネクタ。
【請求項４】
前記支点ボスが、円柱状に形成されていることを特徴とする請求項１乃至請求項３のうちいずれか一項に記載のコネクタ。
【発明の詳細な説明】
【技術分野】
【０００１】
本発明は、互いに嵌合する第１のコネクタと第２のコネクタとこれらのうち一方に回転自在に設けられたレバーとを備えたコネクタに関する。
【背景技術】
【０００２】
従来からレバーを備えた所謂レバー式コネクタは知られている(例えば、特許文献１参照)。
【０００３】
前述した所謂レバー式コネクタは、第１のコネクタとしての雄型のコネクタ（以下、単に雄コネクタと呼ぶ）と、第２のコネクタとしての雌型のコネクタ（以下、単に雌コネクタと呼ぶ）と、前記雄コネクタに回転自在に取り付けられて該雄コネクタに対して回転することでコネクタ同士を接離させるレバーと、を備えている。
【０００４】
前記レバーには、雌コネクタ寄りの端部から凸に形成された支点ボスが設けられ、雌コネクタには、前記支点ボスが摺動する摺動溝が設けられている。さらに、前記レバーの中央には、互いに間隔をあけて配置された作用点用孔と円弧状のガイド孔とが設けられ、雄コネクタには、雄コネクタから凸で、かつ互いに間隔をあけて配置されて作用点用孔とガイド孔とに侵入する作用点用突起とガイド突起が設けられている。
【０００５】
前述したレバー式コネクタは、ガイド突起がガイド孔内に侵入し、作用点用突起が作用点用孔内に侵入して、雄コネクタに対して回転自在に該雄コネクタにレバーが取り付けられる。そして、前述したレバー式コネクタは、レバーに設けられた支点ボスが係止孔内に侵入して、レバーが回転することで、コネクタ同士が嵌合する。また、前述したレバー式コネクタは、互いに嵌合したコネクタ同士を分離する際には、コネクタ同士を嵌合する際と逆向きにレバーを回転する。
【０００６】
さらに、前述したレバー式コネクタは、コネクタ同士を嵌合又は分離する際に、支点ボスが摺動溝内をコネクタの幅方向（コネクタ同士が嵌合又は分離する際にこれらのコネクタ同士が互いに接離する方向に対して直交する方向）に移動するとともに、ガイド孔及び作用点用孔内をガイド突起及び作用点用突起が移動して、レバーの回転方向が案内される。
【特許文献１】特願２００６−３４７４号
【発明の開示】
【発明が解決しようとする課題】
【０００７】
しかしながら、上述した従来のレバー式コネクタは、支点ボスが摺動溝内をコネクタの幅方向に沿って移動するために、雄コネクタに対するレバーの回転方向を案内するために、作用点用突起及び作用点用孔に加えて、ガイド突起及びガイド孔を設けている。このために、特に、コネクタ同士の嵌合時に、レバーを回転するためには、雄コネクタ内の端子と雌コネクタ内の端子とが互いに接続するために必要となる力と、前記作用点用孔内の作用点用突起の移動に伴う摩擦力と、前記ガイド孔内のガイド突起の移動に伴う摩擦力と、摺動溝内の支点ボスの移動に伴う摩擦力との総和の力を前述したレバーに加える必要があった。
【０００８】
このように、特に、前記一対のガイド孔内のガイド突起の移動に伴う摩擦力が加わった力をレバーに加えて、該レバーを回転する必要があるので、前述した従来のレバー式コネクタは、コネクタ同士の嵌合又は分離の際に、レバーに強い力を加えて操作する必要があった。
【０００９】
したがって、本発明の目的は、レバーに加える力を抑制することが可能となるレバーを備えたコネクタを提供することを目的とする。
【課題を解決するための手段】
【００１０】
前述した課題を解決し目的を達成するために、請求項１に記載の本発明のコネクタは、第１のコネクタと、前記第１のコネクタと嵌合する第２のコネクタと、前記第１のコネクタと前記第２のコネクタとのうち一方のコネクタに回転自在に取り付けられているとともに、回転することで、前記第１のコネクタと第２のコネクタとを互いに接離させるレバーと、を備えたコネクタにおいて、前記レバーと、前記第１のコネクタと前記第２のコネクタとのうち他方のコネクタと、のうち一方から突出して、前記コネクタ同士が嵌合する際に、他方に引っ掛かる支点ボスと、前記第１のコネクタと前記第２のコネクタとが互いに嵌合する際に、前記レバーが回転しても、前記コネクタ同士の嵌合方向に対して直交する方向に前記支点ボスが変位することを規制する変位規制手段を備えたことを特徴としている。
【００１１】
請求項２に記載の本発明のコネクタは、請求項１に記載のコネクタにおいて、前記変位規制手段が、前記レバーと前記他方のコネクタとのうちの他方に設けられていることを特徴としている。
【００１２】
請求項３に記載の本発明のコネクタは、請求項２に記載のコネクタにおいて、前記レバーと前記他方のコネクタとのうちの他方には、前記支点ボスが侵入可能な溝が設けられ、前記変位規制手段が、前記溝の内面の一部であることを特徴としている。
【００１３】
請求項４に記載の本発明のコネクタは、請求項１乃至請求項３のうちいずれか一項に記載のコネクタにおいて、前記支点ボスが、円柱状に形成されていることを特徴としている。
【００１４】
請求項１に記載した本発明のコネクタによれば、支点ボスがコネクタ同士の嵌合方向に対して直交する方向即ちコネクタの幅方向に移動することを変位規制手段が規制するので、回転するレバーを当該支点ボスが支持することになる。このため、レバーの回転を案内する作用点用突起及び作用点用孔をそれぞれ一つ設けても、これらと、支点ボスとによって、レバーの回転方向を案内することができる。
【００１５】
請求項２に記載した本発明のコネクタによれば、変位規制手段が、レバーと他方のコネクタとのうちの支点ボスが設けられていない他方に設けられているので、支点ボスと確実に干渉して、該支点ボスがコネクタの幅方向に移動することを確実に規制できる。
【００１６】
請求項３に記載した本発明のコネクタによれば、変位規制手段が、支点ボスが侵入する溝の内面の一部であるので、支点ボスと確実に干渉して、該支点ボスがコネクタの幅方向に移動することを確実に規制できる。
【００１７】
請求項４に記載した本発明のコネクタによれば、支点ボスが円柱状に形成されているので、レバーの回転中に該レバーに加える力が急激に変化することがない。
【発明の効果】
【００１８】
請求項１に記載の本発明によれば、レバーの回転を案内するために、作用点用突起及び作用点用孔との他にガイド突起とガイド孔とを設ける必要がなくなるので、レバーを回転する際即ちコネクタ同士を嵌合又は分離する際のガイド突起のガイド孔内での移動に伴う摩擦力を減少させることができる。したがって、コネクタ同士を嵌合又は分離する際に、レバーに加える力を抑制することが可能となる。
【００１９】
請求項２に記載の本発明によれば、変位規制手段が、レバーと他方のコネクタとのうちの支点ボスが設けられていない他方に設けられているので、支点ボスがコネクタの幅方向に移動することを確実に規制できる。したがって、コネクタ同士を嵌合又は分離する際に、レバーに加える力を確実に抑制することが可能となる。
【００２０】
請求項３に記載の本発明によれば、変位規制手段が、支点ボスが侵入する溝の内面の一部であるので、該支点ボスがコネクタの幅方向に移動することをより確実に規制できる。コネクタ同士を嵌合又は分離する際に、レバーに加える力をより確実に抑制することが可能となる。
【００２１】
請求項４に記載の本発明によれば、支点ボスが円柱状に形成されているので、レバーの回転中に該レバーに加える力が急激に変化することがないので、レバーに加える力を抑制することが可能となることにくわえて、該レバーに加える力がコネクタ同士の嵌合又は分離中に急激に変化することを防止できる。
【発明を実施するための最良の形態】
【００２２】
本発明の一実施形態にかかるコネクタを、図１ないし図５を参照して説明する。本発明の一実施形態にかかるコネクタ１は、図１乃至図５に示すように、第１のコネクタとして溝としての支点ガイド溝６が設けられた雄型のコネクタ（以下、単に雄コネクタと呼ぶ）２と、第２のコネクタとして支点ボス７を有するレバー４が装着される雌型のコネクタ（以下、単に雌コネクタと呼ぶ）３とから成る。
【００２３】
雄コネクタ２は、コネクタハウジング９と、カバー部材１０とを備えている。コネクタハウジング９は、図１などに示すように、箱形のインナハウジング１１と、筒形のアウタカバー１２とを一体に備えている。インナハウジング１１には、端子収容室１３（図２などに示す）が設けられている。インナハウジング１１は、各々の端子収容室１３に図示しない雌形の端子金具（以下、雌端子と呼ぶ）を収容する。
【００２４】
アウタカバー１２は、内側にインナハウジング１１を収容した格好で、該インナハウジング１１と一体に形成されている。アウタカバー１２の内面には、インナハウジング１１の外面と間隔があけられており、図２に示すように、インナハウジング１１とアウタカバー１２とを連結する連結リブ１５が複数設けられている。また、アウタカバー１２の内面には、図２に示すように、該内面から凸のレバー用支持突起１４が設けられている。レバー用支持突起１４は、円柱状に形成されている。レバー用支持突起１４は、アウタカバー１２の雄コネクタ２の幅方向の中央に設けられている。
【００２５】
なお、幅方向とは、雌雄コネクタ２，３同士が後述するように互いに嵌合又は離脱する際に、これらの雌雄コネクタ２，３が相対的に移動（接離）する方向（図１中に矢印Ｓに示す）に対して直交する方向をなしている。このコネクタ２，３同士が接離する方向Ｓは、特許請求の範囲に記載したコネクタ２，３同士の嵌合方向をなしている。
【００２６】
カバー部材１０は、樋状に形成されて、コネクタハウジング９のインナハウジング１１の雌コネクタ３から離れた側の端部に取り付けられる。カバー部材１０は、雌端子に取り付けられた電線を収容して、該電線を保護する。
【００２７】
また、雄コネクタ２のインナハウジング１１の外面（図１中手前側と奥側に位置する幅方向の一対の側面各々）には、レバー用ロックアーム１６が設けられている。レバー用ロックアーム１６は、雌雄コネクタ２，３を互いに近づけたレバー４の後述する操作板部３０に係合して、該レバー４を位置決めする。
【００２８】
さらに、雄コネクタ２のコネクタハウジング１１には、雌コネクタ３の仮係合用突起２３と仮係合することでインナハウジング１１が雌コネクタ３内に侵入して端子同士が互いに間隔をあけた状態で雌コネクタ３に仮固定される図示しない仮係合部が設けられている。
【００２９】
雌コネクタ３は、コネクタハウジング２２を備えている。コネクタハウジング２２は、図示しない雄型の端子金具（以下、雄端子と呼ぶ）の主に電線接続部を収容する端子収容室を備えて、筒状に形成されている。コネクタハウジング２２には、仮係合用突起２３が設けられている。この仮係合用突起２３は、コネクタハウジング２２の外面から凸に形成されている。
【００３０】
前述した雌コネクタ３は、コネクタハウジング２２が雄コネクタ２のインナハウジング１１とアウタカバー１２との間に侵入して、仮係合用突起２３と前記（図示しない）仮係合部とが仮係合して、雄コネクタ２と仮固定される。さらに、雌コネクタ３は、雄コネクタ２と仮係合した際に、コネクタハウジング２２の一部がレバー４の後述する平板部２９とインナハウジング１１との間に侵入する。
【００３１】
レバー４は、図２に示すように、一対の平板部２９と、これら一対の該平板部２９の一端部同士を連結した操作板部３０とを備えて、全体としてコ字状に形成されている。平板部２９は、それぞれ、帯板状に形成されている。一対の平板部は、互いに間隔をあけて平行に配置されている。
【００３２】
一対の平板部２９には、それそれ、作用点用ガイド孔３１が設けられている。作用点用ガイド孔３１は、平板部２９を貫通している。
【００３３】
作用点用ガイド孔３１は、平板部２９の長手方向と幅方向との双方の中央部に設けられている。作用点用ガイド孔３１の平面形状は、その長径が平板部２９の長手方向に沿った楕円形状（小判状又は長孔形状ともいう）に形成されている。作用点用ガイド孔３１内には、アウターカバー１２の内面に設けられたレバー用支持突起１４が侵入する。作用点用ガイド孔３１内にレバー用支持突起１４が侵入することで、レバー用支持突起１４は、該作用点用ガイド孔３１内を移動自在となるとともに回転自在となり、レバー４は、平板部２９の中央部を中心として回転自在に雄コネクタ２に取り付けられる。
【００３４】
平板部２９は、作用点用ガイド孔３１内にレバー用支持突起１４が侵入した状態では、インナハウジング１１とアウタカバー１２との間に配置される。
【００３５】
操作板部３０は、平板部２９がインナハウジング１１とアウタカバー１２との間に配置された状態で、平板部２９が回転することで、レバー用ロックアーム１６と係合することが可能な位置に配置されている。操作板部３０には、レバー用ロックアーム１６に向かって凸のレバー用ロック突起３２が設けられている。レバー用ロック突起３２は、レバー用ロックアーム１６と係合する。レバー用ロック突起３２は、レバー用ロックアーム１６に係合することで、コネクタ２，３同士が完全に嵌合した状態でレバー４を位置決めする。
【００３６】
雌雄コネクタ２，３同士を嵌合する際に、レバー４に設けられた後述する支点ボス７が雄コネクタ３に設けられた支点ガイド溝６内に侵入する。
【００３７】
そして、レバー４は、前述した中央部を中心として雄コネクタ２のコネクタハウジング９に対して回転することで、支点ボス７が支点ガイド溝６内を摺動（移動及び回転）して、雌コネクタ３と雄コネクタ２とを互いに接離させる。なお、接離とは、雄コネクタ２と雌コネクタ３とが、互いに近づいたり離れることを意味する。
【００３８】
さらに、レバー４は、支点ボス７が支点ガイド溝６内に侵入及び該支点ガイド溝６内から抜け出ることが自在となって、雌雄コネクタ２，３同士を完全に分離させる仮係合位置（図３などに示す）と、コネクタ２，３同士を完全に嵌合させる完全嵌合位置（図５に示す）とに亘って、雄コネクタ２に対して回転自在に設けられている。尚、仮係合位置では、レバー４の平板部２９の支点ボス７側が部分的に、アウタカバー１２とインナーハウジング１１との間に収容され、完全嵌合位置では、平板部２９のほとんどが収容される。
【００３９】
支点ボス７は、レバー４の平板部２９の操作板部３０が連なっていない側の他端部に設けられている。支点ボス７は、円柱状に形成されており、平板部２９から該一対の平板部２９同士が近づく方向に突出している。即ち、支点ボス７は、平板部２９から雌コネクタ３に設けられた支点ガイド溝６に向かって凸に形成されている。
【００４０】
支点ガイド溝６は、雌コネクタ３のコネクタハウジング２２の外面に設けられている。支点ガイド溝６は、雌雄コネクタ２，３同士が嵌合する際に、レバー用支持突起１４と各々対応する位置に配置されている。支点ガイド溝６は、それぞれ、コネクタハウジング２２の外面から凹の溝状に形成されており、直線部３３と、傾斜部３４とを備えている。
【００４１】
直線部３３は、前述した雌雄コネクタ２，３同士が接離する方向Ｓに沿って直線状に延在しており、その一端が雌コネクタ３のコネクタハウジング２２の雄コネクタ２寄りの縁に開口している。傾斜部３４は、直線部３３の他端の端部に連なり、かつ該端部から直線部３３の一端側でかつ雌コネクタ３の外側に向かって延在している。このため、接離する方向Ｓに対し直交する方向での一対の傾斜部３４は、雄コネクタ２に近づくのにしたがって、徐々に互いに離れる方向に延びており、前述した接離する方向Ｓに対して傾斜している。
【００４２】
前述した構成の支点ガイド溝６内には、直線部３３の雄コネクタ２寄りの縁を通して、支点ボス７が侵入する。支点ガイド溝６内に侵入した支点ボス７は、該支点ガイド溝６内を移動自在である。支点ガイド溝６の内面のうちの傾斜部３４の直線部３３から離れた側の端部に位置する当接部分（特許請求の範囲の一部に相当）６ａには、レバー４が前述したように回転すると、支点ボス７が当接する。支点ガイド溝６の当接部分６ａは、雌雄コネクタ２，３同士が嵌合する際に、支点ボス７がコネクタ２，３の幅方向（接離する方向Ｓに対し直交する方向）に変位することを規制することにより変位規制手段をなしている。
【００４３】
また、支点ガイド溝６の当接部分６ａに支点ボス７が当接すると、該支点ボス７は、支点ガイド溝６の傾斜部３４の直線部３３から離れた側の端部内に位置する。すると、支点ガイド溝６の傾斜部３４が前述したように延在しているので、雌雄コネクタ２，３同士を離脱しようとしても、支点ボス７が、支点ガイド溝６から抜け出ることが規制される。このように、支点ボス７は、支点ガイド溝６の前述した当接部分６ａに当接することで、雌コネクタ３に引っ掛かる。
【００４４】
前述したコネクタ１の雄コネクタ２と雌コネクタ３とを互いに嵌合させる際には、まず、コネクタハウジング９の端子収容室１３内に電線付きの雌端子を収容して、雄コネクタ２のコネクタハウジング９とアウタカバー１２の間にレバー４を取り付ける。この状態では、レバー４は、前述した仮係合位置に位置付けられている。又、コネクタハウジング２２内には、雄端子２５が取り付けられている。
【００４５】
そして、図３に示すように、支点ガイド溝６の直線部３３内に支点ボス７を侵入させるとともに、雌コネクタ３の仮係合用突起２３と雄コネクタ２の図示しない仮係合部とを仮係合させて、雌雄コネクタ２，３同士を仮固定する。すると、勿論、支点ボス７は、支点ガイド溝６の他端の端部内に位置するとともに、レバー用支持突起１４は、作用点用ガイド孔３１の操作板部３０寄りの端部内に位置する。そして、レバー４の操作板部３０を押圧して、該レバー４を第２の位置に向かって回転する。
【００４６】
すると、図４に示すように、支点ボス７が、支点ガイド溝６の当接部分６ａに当接する。なお、図３と図４との間では、レバー４は、回転するが、雌雄コネクタ２，３同士が相対的に全く移動しない。このため、図２と図３との間は、コネクタ２，３同士の嵌合動作には含まれない。
【００４７】
さらに、操作板部３０を押圧して、レバー４を第２の位置に向かって回転すると、支点ボス７が当接部分６ａに当接しているので、支点ボス７が、コネクタ２，３の幅方向に変位することが規制されたまま、雌雄コネクタ２，３同士が徐々に近づく。この際、レバー用支持突起１４が作用点用ガイド孔３１の操作板部３０寄りの端部から該操作板部３０から離れた側の端部に向かって移動する。
【００４８】
そして、レバー用ロック突起とロックアーム１６とが互いに完全に係合して、レバー４が、前述した完全嵌合位置に位置付けられると、雌雄コネクタ２，３同士の嵌合が完了する。尚、カバー部材１０は、予め雌雄コネクタ２，３の嵌合前に雄コネクタ２に取り付けられている。
【００４９】
また、コネクタ２，３同士を分離する際には、先ほどと逆向きにレバー４を第２の位置から第１の位置に向かって回転する。なお、図４と図５との間では、雌雄コネクタ２，３同士が相対的に接離する。このため、図４と図５との間は、コネクタ２，３同士の嵌合動作である。即ち、前述した支点ガイド溝６の内面の当接部分６ａは、雌雄コネクタ２，３同士が嵌合又は離脱する際に、レバー４が回転しても、支点ボス７がコネクタ２，３の幅方向に変位することを規制する。
【００５０】
本実施形態によれば、コネクタ２，３同士の嵌合中に支点ボス７が雌雄コネクタ２，３同士の嵌合方向としての接離する方向Ｓに対して直交する幅方向に移動することを変位規制手段が規制するので、回転するレバー４を支点ボス７が支持することになる。
【００５１】
このため、レバー４の回転を案内する作用点用突起としてのレバー用支持突起１４と作用点用孔としての作用点用ガイド孔３１とをそれぞれ一つのみ設けても、これらのレバー用支持突起１４及び作用点用ガイド孔３１と、支点ボス７とによって、レバー４の回転方向を案内することができる即ちレバー４を回転自在に支持できる。
【００５２】
このため、レバー４の回転を案内するために、レバー用支持突起１４と作用点用ガイド孔３１とをそれぞれ一つのみ設ければ良いので、レバー４を回転する際、即ち、雌雄コネクタ２，３同士を嵌合又は離脱する際のレバー用支持突起１４の作用点用ガイド孔３１内での移動に伴う摩擦力を減少させることができる。したがって、雌雄コネクタ２，３同士を嵌合又は分離する際に、レバー４に加える力を抑制することが可能となる。
【００５３】
変位規制手段が、レバー４と他方のコネクタとしての雌コネクタ３とのうちの支点ボス７が設けられていない雌コネクタ３に設けられているので、支点ボス７と確実に干渉して、該支点ボス７がコネクタ２，３の幅方向に移動することを確実に規制できる。したがって、コネクタ２，３同士を嵌合又は分離する際に、レバー４に加える力を確実に抑制することが可能となる。
【００５４】
変位規制手段が、支点ボス７が侵入する支点ガイド溝６の内面の一部としての前述した部分６ａであるので、支点ボス７と確実に干渉して、該支点ボス７がコネクタ２，３の幅方向に移動することを確実に規制できる。したがって、コネクタ２，３同士を嵌合又は分離する際に、レバー４に加える力をより確実に抑制することが可能となる。
【００５５】
また、コネクタ２，３同士を嵌合する際に、該コネクタ２，３同士が嵌合するのにしたがって、レバー用支持突起１４が作用点用ガイド孔３１の操作板部３０から離れた側の端部に向かって徐々に移動する。このため、コネクタ２，３同士の嵌合後のレバー用支持突起１４の中心と支点ボス７の中心との距離Ｌ２ａ（図５に示す）が、コネクタ２，３同士の嵌合前のレバー用支持突起１４の中心と支点ボス７の中心との距離Ｌ２（図４に示す）よりも短くなる。したがって、支点ボス７の中心と操作板部３０との距離をＬ１（図４及び図５に示す）とすると、コネクタ２，３同士の嵌合前のてこ比（Ｌ２／Ｌ１）よりも、コネクタ２，３同士の嵌合後のてこ比（Ｌ２ａ／Ｌ１）が大きくなり、コネクタ２，３同士を嵌合するのにしたがって、レバー４に加える力を徐々に弱くすることができる。
【００５６】
さらに、支点ボス７が円柱状に形成されているので、レバー４に加える力を抑制することが可能となることにくわえて、該レバー４に加える力がコネクタ２，３同士の嵌合又は分離中に急激に変化することを防止できる。
【００５７】
前述した実施形態では、雄コネクタ２にレバー４を取り付けているが、本発明では、雌コネクタ３にレバー４を取り付けても良い。
【００５８】
また、実施形態では、レバー４から突出した支点ボス７を設け、該支点ボス７が雌コネクタ３に引っ掛かるようにしているとともに、該雌コネクタ３に支点ボス７の幅方向の変位を規制する支点ガイド溝６に当接部分６ａを設けている。しかしながら、本発明では、雌コネクタ３から突出した支点ボス７を設け、該支点ボス７がレバー４に引っ掛かるようにするとともに、該レバー４に支点ボス７の幅方向の変位を規制する変位規制手段を設けても良い。
【００５９】
要するに、本発明では、雄コネクタ２と雌コネクタ３とのうち一方のコネクタに回転自在にレバー４を取り付けて、該レバー４と、雄コネクタ２と雌コネクタ３とのうち他方のコネクタと、のうち一方に他方に引っ掛かる支点ボス７を設け、該レバー４と前記他方のコネクタとのうち他方に、支点ガイド溝６を設けて、前記変位規制手段を設ければ良い。
【００６０】
また、本発明では、図６に示すように、雄コネクタ２のコネクタハウジング９にアウタカバー１２を設けなくても良い。この場合、レバー用支持突起１４がインナハウジング１１の外面から凸に設けられているとともに、支点ボス７がレバー４の平板部２９から該平板部２９同士が離れる方向に凸に形成されている。また、支点ガイド溝６が、雌コネクタ３のコネクタハウジング２２の内面から凹に形成されている。
【００６１】
さらに、本発明では、支点ガイド溝６を設けずに、変位規制手段が、レバー４と他方のコネクタとのうち支点ボス７が設けられていない他方に設けられた凹凸などであっても良い。また、前述した実施形態では、支点ボス７を円柱状に形成しているが、本発明では、例えば、支点ボス７を平面形状が小判形の柱状に形成しても良い。要するに、本発明では、支点ボス７が、必要な機能を満たすのであれば、如何なる形状であっても良い。
【００６２】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６３】
【図１】本発明の一実施形態にかかるコネクタを分解して示す斜視図である。
【図２】図１に示されたコネクタのレバーが取り付けられた雄コネクタのアウタカバーの一部の壁を取り除いた状態を示す斜視図である。
【図３】図１に示されたコネクタの雄コネクタと雌コネクタとが仮固定された状態を示す断面図である。
【図４】図３に示されたレバーに設けられた支点ボスが雌コネクタに設けられた支点ガイド溝の傾斜部の直線部から離れた側の端部内に位置した状態を示す断面図である。
【図５】図４に示された雄コネクタと雌コネクタとが嵌合した状態を示す断面図である。
【図６】図２に示されたコネクタの雄コネクタとレバーの変形例を示す斜視図である。
【符号の説明】
【００６４】
１  コネクタ
２  雄コネクタ（第１のコネクタ）
３  雌コネクタ（第２のコネクタ）
４  レバー
６  支点ガイド溝（溝）
６ａ  部分（内面の一部、変位規制手段）
７  支点ボス
Ｓ  接離する方向（嵌合方向）
【図１】
2008097904.tif 000003
【図２】
2008097904.tif 000004
【図３】
2008097904.tif 000005
【図４】
2008097904.tif 000006
【図５】
2008097904.tif 000007
【図６】
2008097904.tif 000008